(57)【特許請求の範囲】
【請求項１】
薬剤師から医師に対して行われる処方薬品に関する疑義照会の結果を入力するための疑義照会入力画面を表示させる第１表示処理部と、
前記疑義照会入力画面に表示される一又は複数の第１特定入力欄の入力内容に応じてプレアボイド報告の要否を判定する判定処理部と、
前記判定処理部により前記プレアボイド報告が必要であると判定された場合に、前記プレアボイド報告に関する情報を入力するためのプレアボイド入力画面を表示させる第２表示処理部と、
を備えるプレアボイド報告支援システム。
【請求項２】
処方データについて一又は複数の確認項目が適正であるか否かを判定する処方チェックのチェック結果を取得する取得処理部を更に備え、
前記第１表示処理部は、前記取得処理部により取得された前記チェック結果について行われる前記疑義照会の結果を入力するための前記疑義照会入力画面を表示させる請求項１に記載のプレアボイド報告支援システム。
【請求項３】
前記第１特定入力欄は、前記疑義照会の結果として前記処方データの変更又は中止が入力可能な入力欄を含み、
前記判定処理部は、前記疑義照会の結果が前記処方データの変更又は中止である場合に前記プレアボイド報告が必要であると判定する請求項２に記載のプレアボイド報告支援システム。
【請求項４】
前記第２表示処理部は、前記疑義照会入力画面に表示される一又は複数の第２特定入力欄の入力内容が予め定められた未然回避報告に対応する未然回避内容である場合に、前記プレアボイド報告の未然回避報告に関する情報を入力するための前記プレアボイド入力画面を表示させる請求項２又は３に記載のプレアボイド報告支援システム。
【請求項５】
前記第２表示処理部は、前記プレアボイド入力画面に表示される入力項目のいずれか一又は複数の入力項目を前記処方データ又は前記疑義照会入力画面で入力された情報に基づいて自動的に入力した状態で前記プレアボイド入力画面を表示させる請求項２〜４のいずれかに記載のプレアボイド報告支援システム。
【請求項６】
前記第１表示処理部は、前記疑義照会入力画面に表示される入力項目のいずれか一又は複数の入力項目を前記処方データに基づいて自動的に入力した状態で前記疑義照会入力画面を表示させる請求項２〜５のいずれかに記載のプレアボイド報告支援システム。
【請求項７】
前記第１表示処理部は、操作入力に応じて前記第１特定入力欄に情報を入力し、又は外部機器から受信される変更後の前記処方データに基づいて前記第１特定入力欄に情報を入力する請求項２〜６のいずれかに記載のプレアボイド報告支援システム。
【請求項８】
前記第２表示処理部によって表示される前記プレアボイド入力画面で入力された情報を記録又は送信する情報処理部を更に備える請求項１〜７のいずれかに記載のプレアボイド報告支援システム。
【請求項９】
薬剤師から医師に対して行われる処方薬品に関する疑義照会の結果を入力するための疑義照会入力画面を表示させるステップと、
前記疑義照会入力画面に表示される一又は複数の第１特定入力欄の入力内容に応じてプレアボイド報告の要否を判定するステップと、
前記プレアボイド報告が必要であると判定された場合に、前記プレアボイド報告に関する情報を入力するためのプレアボイド入力画面を表示させるステップと、
をプロセッサーに実行させるためのプログラム。
【発明の詳細な説明】
【技術分野】
【０００１】
本発明は、薬剤師により行われるプレアボイド報告を支援するプレアボイド報告支援システムに関する。
【背景技術】
【０００２】
病院等の医療機関では、処方内容が電子カルテシステムなどに入力されることにより処方データが発行され、前記処方データに基づいて薬品が調剤される。その後、前記処方データに基づいて調剤された薬品は、病棟に入院している患者によって服用される。なお、前記処方データに基づく薬品の調剤前に、前記処方データの適否を自動的に判断する処方チェックが実行可能な処方鑑査システムが知られている（例えば特許文献１参照）。
【０００３】
そして、薬品を調剤する薬剤師は、処方チェックのチェック結果に応じて処方内容が適切であるか否かを確認し、必要に応じて医師に電話又はメールなどで問い合わせる疑義照会などを実行することがある。また、薬剤師は、疑義照会の結果に基づいて、薬品を服用する患者の副作用などの不利益が未然に回避された事例（未然回避報告）、及び早期発見により副作用などの重篤化が回避された事例（重篤化回避報告）などを所謂「プレアボイド」として日本病院薬剤師会に報告することがある。以下、このような報告をプレアボイド報告と称する。
【先行技術文献】
【特許文献】
【０００４】
【特許文献１】特開２０１３−１２５３７７号公報
【発明の概要】
【発明が解決しようとする課題】
【０００５】
しかしながら、薬剤師が、通常業務の中で疑義照会の結果に応じて、自らの意思でプレアボイド報告を行うか否かを判断する場合には、プレアボイド報告に漏れが生じるおそれがある。
【０００６】
本発明の目的は、薬剤師によるプレアボイド報告の漏れを抑制することのできるプレアボイド報告支援システムを提供することにある。
【課題を解決するための手段】
【０００７】
本発明に係るプレアボイド報告支援システムは、薬剤師から医師に対して行われる処方薬品に関する疑義照会の結果を入力するための疑義照会入力画面を表示させる第１表示処理部と、前記疑義照会入力画面に表示される一又は複数の第１特定入力欄の入力内容に応じてプレアボイド報告の要否を判定する判定処理部と、前記判定処理部により前記プレアボイド報告が必要であると判定された場合に、前記プレアボイド報告に関する情報を入力するためのプレアボイド入力画面を表示させる第２表示処理部と、を備える。
【０００８】
本発明によれば、薬剤師により前記疑義照会入力画面に対して前記疑義照会の結果が入力された後、前記プレアボイド報告が必要な場合に自動的に前記プレアボイド入力画面が表示されて前記プレアボイド報告に関する情報の入力が促される。従って、前記プレアボイド報告支援システムでは、薬剤師による前記プレアボイド報告の漏れが抑制される。
【０００９】
また、前記プレアボイド報告支援システムは、処方データについて一又は複数の確認項目が適正であるか否かを判定する処方チェックのチェック結果を取得する取得処理部を更に備えることが考えられる。この場合、前記第１表示処理部は、前記取得処理部により取得された前記チェック結果について行われる前記疑義照会の結果を入力するための前記疑義照会入力画面を表示させる。
【００１０】
また、前記第１特定入力欄は、前記疑義照会の結果として前記処方データの変更又は中止が入力可能な入力欄を含み、前記判定処理部は、前記疑義照会の結果が前記処方データの変更又は中止である場合に前記プレアボイド報告が必要であると判定することが考えられる。
【００１１】
また、前記第２表示処理部は、前記疑義照会入力画面に表示される一又は複数の第２特定入力欄の入力内容が予め定められた未然回避報告に対応する未然回避内容である場合に、前記プレアボイド報告の未然回避報告に関する情報を入力するための前記プレアボイド入力画面を表示させることが考えられる。
【００１２】
また、前記第２表示処理部は、前記プレアボイド入力画面に表示される入力項目のいずれか一又は複数の入力項目を前記処方データ又は前記疑義照会入力画面で入力された情報に基づいて自動的に入力した状態で前記プレアボイド入力画面を表示させることが考えられる。
【００１３】
また、前記第１表示処理部は、前記疑義照会入力画面に表示される入力項目のいずれか一又は複数の入力項目を前記処方データに基づいて自動的に入力した状態で前記疑義照会入力画面を表示させることが考えられる。
【００１４】
また、前記第１表示処理部は、操作入力に応じて前記第１特定入力欄に情報を入力し、又は外部機器から受信される変更後の前記処方データに基づいて前記第１特定入力欄に情報を入力することが考えられる。
【００１５】
また、前記プレアボイド報告支援システムは、前記第２表示処理部によって表示される前記プレアボイド入力画面で入力された情報を記録又は出力する情報処理部を更に備えることが考えられる。なお、前記出力には、前記情報を予め定められたファイル形式で出力するファイル出力、前記情報をプリンターで印刷する印刷出力、及び前記情報をネットワークを介して送信する送信出力などが含まれる。
【発明の効果】
【００１６】
本発明によれば、薬剤師によるプレアボイド報告の漏れを抑制することのできるプレアボイド報告支援システムが実現される。
【図面の簡単な説明】
【００１７】
【図１】図１は、本発明の実施形態に係るプレアボイド報告支援システムの構成を示すブロック図である。
【図２】図２は、本発明の実施形態に係るプレアボイド報告支援システムで使用される処方チェック情報の一例を示す図である。
【図３】図３は、本発明の実施形態に係るプレアボイド報告支援システムで使用される要否判定情報の一例を示す図である。
【図４】図４は、本発明の実施形態に係るプレアボイド報告支援システムで使用される種別判定情報の一例を示す図である。
【図５】図５は、本発明の実施形態に係るプレアボイド報告支援システムで実行される処方チェック処理の手順の一例を示すフローチャートである。
【図６】図６は、本発明の実施形態に係るプレアボイド報告支援システムで表示されるエラー画面の一例を示す図である。
【図７】図７は、本発明の実施形態に係るプレアボイド報告支援システムで実行される疑義照会記録処理の手順の一例を示すフローチャートである。
【図８】図８は、本発明の実施形態に係るプレアボイド報告支援システムで表示される疑義照会入力画面の一例を示す図である。
【図９】図９は、本発明の実施形態に係るプレアボイド報告支援システムで表示されるプレアボイド入力画面の一例を示す図である。
【図１０】図１０は、本発明の実施形態に係るプレアボイド報告支援システムで表示されるプレアボイド入力画面の一例を示す図である。
【発明を実施するための形態】
【００１８】
以下添付図面を参照しながら、本発明の実施形態について説明し、本発明の理解に供する。なお、以下の実施形態は、本発明を具体化した一例であって、本発明の技術的範囲を限定する性格のものではない。
【００１９】
［プレアボイド報告支援システム１０］
図１に示すように、本発明の実施の形態に係るプレアボイド報告支援システム１０は、サーバー１、クライアント端末２、調剤機器３、及びプリンター４を備える。前記クライアント端末２は、調剤薬剤師により処方データに基づく調剤が行われる調剤室１００と、病棟薬剤師により薬剤の服薬に関する指導又は確認が行われる病棟２００とにそれぞれ設けられる。なお、前記調剤室１００又は前記病棟２００が複数存在する場合には、前記調剤室１００及び前記病棟２００各々に前記クライアント端末２が設けられる。
【００２０】
前記サーバー１、前記クライアント端末２、前記調剤機器３、及び前記プリンター４は、通信網５を介して無線又は有線で通信可能に接続される。前記通信網５は、ＬＡＮ、ＷＡＮ、インターネット、又はイントラネットなどである。また、前記サーバー１には、処方内容を示す処方データ及び患者の情報を示す患者データなどを前記サーバー１に入力する電子カルテシステム、オーダーリングシステム、又はレセプトシステムなどの上位システム６が前記通信網５を介して接続される。前記処方データには、例えば患者の氏名、性別、年齢、病棟、担当医師、担当薬剤師などの基本情報、及び患者に処方する薬品の種類、用量、用法などの情報が含まれる。なお、前記サーバー１が前記上位システム６から前記処方データ及び前記患者データを読み出す構成であってもよい。例えば、前記サーバー１は、前記上位システム６の予め設定された記憶装置内の処方データ記憶領域に前記処方データが記憶されたか否かを監視しており、前記処方データ記憶領域に前記処方データが記憶された場合に前記処方データを取得する。
【００２１】
［調剤機器３］
前記調剤機器３各々は、前記プレアボイド報告支援システム１０が使用される病院又は薬局等の医療機関において、薬品の調剤作業で使用される。例えば、前記調剤機器３各々は、錠剤分包機、散薬分包機、水剤分注機、ＰＴＰシート払出装置、又は混注装置などである。例えば、前記錠剤分包機は、複数種類の錠剤が収容された複数の薬品カセットを有し、前記サーバー１から入力される調剤用データに従って、前記薬品カセットから錠剤を払い出して１服用分ごとに分包紙で包装する分包動作を実行する。前記散薬分包機は、前記サーバー１から入力される調剤用データに従って、投入された散薬を１服用分ごとに分包紙で包装する分包動作を実行する。前記水剤分注機は、複数種類の水剤が収容された複数の薬瓶を有しており、前記サーバー１から入力される調剤用データに従って、前記薬瓶から必要量の水剤を払い出す。前記ＰＴＰシート払出装置は、予め錠剤が包装されたＰＴＰシート又はヒートシールが収容された複数のシートカセットを有し、前記サーバー１から入力される調剤用データに従って、前記シートカセットから前記ＰＴＰシート又は前記ヒートシールを払い出す。前記混注装置は、前記サーバー１から入力される調剤用データに従って、抗癌剤などの薬品を輸液に注入する混注作業をロボットアームで自動的に実行する。
【００２２】
［プリンター４］
前記プリンター４は、前記サーバー１、前記クライアント端末２から前記通信網５を介して入力される印刷データに含まれる情報を紙などのシートに印刷する。例えば、前記プリンター４は、前記プレアボイド報告支援システム１０における処方箋又は薬袋の印刷などに用いられる。また、前記プリンター４は、後述の未然回避報告及び重篤化回避報告などに関するプレアボイド報告を印刷出力する際にも用いられる。
【００２３】
［サーバー１］
前記サーバー１は、制御部１１、記憶部１２、通信Ｉ／Ｆ１３、表示装置１４、操作装置１５、及びドライブ装置１６などを備えるコンピュータである。なお、前記サーバー１は、前記プレアボイド報告支援システム１０が使用される病院又は薬局等の医療機関の内部又は外部に設けられる。また、前記サーバー１は、スマートフォン又はタブレット端末などのモバイル端末であってもよい。
【００２４】
前記制御部１１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００２５】
前記記憶部１２は、前記制御部１１によって実行される各種のアプリケーションプログラム及び各種のデータが記憶されるハードディスク又はＳＳＤ等の不揮発性の記憶部である。具体的に、前記記憶部１２には、プログラム記憶部１２１、マスター記憶部１２２、及び情報記憶部１２３が含まれる。
【００２６】
前記プログラム記憶部１２１は、後述の処方チェック処理（図５参照）及び疑義照会記録処理（図７参照）を前記制御部１１に実行させるための制御プログラムが記憶される記憶領域である。なお、前記プログラム記憶部１２１には、オペレーティングシステム（ＯＳ）及びブラウザソフトなどのアプリケーションプログラムも記憶される。
【００２７】
前記マスター記憶部１２２は、薬品マスター、患者マスター、薬剤師マスター、処方箋区分マスター、診療科マスター、及び病棟マスターなどの各種のマスター情報が記憶される記憶領域である。例えば、前記薬品マスターには、各種の薬品について、薬品コード（ＹＪコード等）、薬品名、ＪＡＮコード、ＲＳＳコード、薬瓶コード、剤形、単位、比重、薬品種、配合変化、賦形薬品、注意事項などの情報が含まれる。
【００２８】
前記患者マスターには、各患者について、例えば患者名、患者ＩＤ、性別、年齢、飲酒有無、喫煙有無、及び病名などの情報が含まれる。また、前記患者マスターには、患者が妊婦又は授乳婦であるか否か等の診察時又は問診時に確認された各種の情報も含まれる。前記薬剤師マスターには、前記医療機関で業務を行う薬剤師の薬剤師コード、薬剤師名、担当病棟、及び管理者権限の有無などの情報が含まれる。
【００２９】
なお、前記制御部１１は、前記マスター記憶部に記憶されている各種のマスター情報を、前記上位システム６から取得する情報に基づいて随時更新可能である。また、前記制御部１１は、前記サーバー１、前記クライアント端末２を用いたユーザー操作に応じて前記各種のマスター情報を編集することも可能である。
【００３０】
前記情報記憶部１２３は、前記処方データ、処方チェック情報Ｄ１１、要否判定情報Ｄ２１、及び種別判定情報Ｄ２２などの各種の情報が記憶される記憶領域である。前記処方データは、前記制御部１１により前記上位システム６から取得されて前記情報記憶部１２３に記憶される。ここに、図２は前記処方チェック情報Ｄ１１の一例を示す図、図３は前記要否判定情報Ｄ２１の一例を示す図、図４は前記種別判定情報Ｄ２２の一例を示す図である。
【００３１】
図２に示すように、前記処方チェック情報Ｄ１１には、処方データについて調剤前に確認されるべき一又は複数の確認項目が記憶されている。具体的に、図２に示す前記処方チェック情報Ｄ１１には、処方チェックＮｏ．「１」〜「２０」に対応する２０種類の確認項目が含まれている。また、前記処方チェック情報Ｄ１１には、前記処方データについて前記確認項目の内容が適正であるか否かを判定するために前記確認項目ごとに予め定められた判定条件が含まれる。前記判定条件は、薬品ごとに予め定められている。なお、前記薬品各々に対応する前記判定条件は、前記処方チェック情報Ｄ１１ではなく前記薬品マスターで薬品ごとに定められていることも考えられる。
【００３２】
例えば、図２に示されている前記確認項目である「相互作用チェック」については、前記処方データにおける薬品の組み合わせに関する問題の有無を判断するための情報が定められている。また、前記確認項目である「投与量」については、前記処方データにおける薬品の一回量、一日量が、前記薬品の予め定められた一回量、一日量の上限以下であるか否かを判断するための情報が定められている。さらに、前記確認項目である「禁忌症チェック」については、前記処方データに含まれる薬品が患者に処方してよい薬品であるか否かを患者の病名などに基づいて判断するための情報が定められている。また、前記確認項目である「妊婦・授乳婦投与制限」については、前記処方データに対応する患者が妊婦・授乳婦である場合に、前記処方データに妊婦・授乳婦への投与が制限されている薬品が含まれているか否かを判断するための情報が定められている。
【００３３】
また、図３に示すように、前記要否判定情報Ｄ２１では、薬剤師から医師に対して処方薬品に関する疑義照会が行われた結果が入力される場合に、その疑義照会の結果をプレアボイド報告するべきか否かを判定するための情報である。なお、前記プレアボイド報告の種別には、薬品を服用する患者の副作用などの不利益が未然に回避された事例（未然回避報告）、及び早期発見により副作用などの重篤化が回避された事例（重篤化回避報告）が含まれる。
【００３４】
具体的に、前記要否判定情報Ｄ２１では、疑義照会の結果が、処方データが変更されなかった「変更無し」である場合は、プレアボイド報告が「不要」である旨が定められている。また、前記要否判定情報Ｄ２１では、疑義照会の結果が、処方データについて「薬剤中止」、「薬剤増量」、「薬剤減量」、「調剤方法変更」、「薬剤変更」、「薬剤追加」、及び「用法変更」などが行われた場合は、プレアボイド報告が「必要」である旨が定められている。そして、前記制御部１１は、前記疑義照会の結果が、前記要否判定情報Ｄ２１に含まれる前記疑義照会の結果のうち「薬剤中止」、「薬剤増量」、「薬剤減量」、「調剤方法変更」、「薬剤変更」、「薬剤追加」、及び「用法変更」のいずれかに該当する場合に、前記プレアボイド報告が必要であると判定する。
【００３５】
さらに、図４に示すように、前記種別判定情報Ｄ２２では、前記疑義照会の分類に対応する前記プレアボイド報告の種別が未然回避報告であるか否かを判定するための情報である。具体的に、前記種別判定情報Ｄ２２では、疑義照会の分類として、「重大な副作用」、「併用禁忌」、「配合禁忌」、「併用注意」、「配合注意」、「過量投与」、「重複投与」、及び「処方もれ」などが未然回避報告に対応する未然回避内容として定められている。そして、前記疑義照会の分類が、前記制御部１１は、前記種別判定情報Ｄ２２に含まれる前記疑義照会の分類のいずれかに該当する場合に、前記プレアボイド報告の種別が未然回避報告であると判定する。
【００３６】
なお、前記制御部１１は、前記種別判定情報Ｄ２２に基づいて前記未然回避報告でないと判定可能な場合に、前記プレアボイド報告の種別が前記重篤化回避報告であると判定することが可能である。一方、前記種別判定情報Ｄ２２に、前記プレアボイド報告の種別が重篤化回避報告であると判定するための基準が定められていてもよい。
【００３７】
前記通信Ｉ／Ｆ１３は、前記通信網５を介して前記クライアント端末２、前記調剤機器３、及び前記プリンター４などの外部機器との間で、予め定められた通信プロトコルに従って無線又は有線でデータ通信を実行するネットワークカード等を有する通信インターフェースである。
【００３８】
前記表示装置１４は、前記制御部１１からの制御指示に従って各種の情報を表示する液晶ディスプレイ又は有機ＥＬディスプレイなどの表示部である。前記操作装置１５は、前記サーバー１に各種の情報を入力するためにユーザーによって操作される操作部である。具体的に、前記操作装置１５は、前記表示装置１４に表示される各種の操作画面における入力操作を受け付けるキーボード及びマウス（ポインティングデバイス）を含む。また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００３９】
前記ドライブ装置１６は、前記制御プログラムが記録されたコンピュータ読み取り可能な記録媒体１６１から前記制御プログラムを読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記制御プログラムが前記記憶部１２の前記プログラム記憶部１２１に記憶され、前記サーバー１にインストールされる。これにより、前記制御部１１では、前記ＣＰＵが、前記プログラム記憶部１２１に記憶されている前記制御プログラムを前記ＲＡＭに展開しつつ実行することが可能となる。
【００４０】
そして、前記サーバー１の前記制御部１１は、取得処理部１１１、第１表示処理部１１２、判定処理部１１３、第２表示処理部１１４、及び情報処理部１１５を含む。具体的に、前記制御部１１は、前記制御プログラムに従って各種の処理を実行することにより、前記取得処理部１１１、前記第１表示処理部１１２、前記判定処理部１１３、前記第２表示処理部１１４、及び前記情報処理部１１５として機能する。前記制御部１１によって実行される処理については後段で説明するが、ここでは各処理部について簡単に説明する。
【００４１】
前記取得処理部１１１は、前記処方データについて一又は複数の前記確認項目が適否であるか否かを前記処方チェック情報Ｄ１１に基づいて判定する後述の処方チェック処理（図５参照）を実行し、前記処方チェックのチェック結果を取得する。なお、前記取得処理部１１１は、前記処方チェックのチェック結果を取得可能であれば、例えば前記処方チェックを実行可能な前記上位システム６のような外部装置から前記通信網５を介して前記処方チェックのチェック結果を取得することも考えられる。
【００４２】
前記第１表示処理部１１２は、薬剤師から医師に対して行われる処方薬品に関する疑義照会の結果を入力するための疑義照会入力画面Ｐ１（図８参照）を前記クライアント端末２などに表示させる。具体的に、前記第１表示処理部１１２は、前記取得処理部１１１により取得された前記チェック結果について行われる前記疑義照会の結果を入力するための前記疑義照会入力画面Ｐ１を表示させる。
【００４３】
前記判定処理部１１３は、前記疑義照会入力画面Ｐ１に表示される一又は複数の第１特定入力欄の入力内容に応じてプレアボイド報告の要否を判定する。具体的に、前記判定処理部１１３は、第１特定入力欄の入力内容と前記要否判定情報Ｄ２１（図３参照）とに基づいて前記プレアボイド報告の要否を判定する。
【００４４】
前記第２表示処理部１１４は、前記判定処理部１１３により前記プレアボイド報告が必要であると判定された場合に、前記プレアボイド報告に関する情報を入力するためのプレアボイド入力画面を前記クライアント端末２などに表示させる。
【００４５】
前記情報処理部１１５は、前記第２表示処理部１１４によって表示される前記プレアボイド入力画面で入力された情報を、前記記憶部１２に記録する処理及び前記通信Ｉ／Ｆ１３を介して外部に出力する処理などを実行する。例えば、前記情報処理部１１５は、前記プレアボイド入力画面で入力された情報を予め定められたファイル形式で出力するファイル出力処理、前記情報を前記プリンターで印刷する印刷出力処理、及び前記情報を前記通信網５を介して送信する送信処理のいずれか一又は複数の処理を実行することが考えられる。
【００４６】
［クライアント端末２］
一方、前記クライアント端末２は、制御部２１、記憶部２２、通信Ｉ／Ｆ２３、表示装置２４、操作装置２５、及びドライブ装置２６などを備えるコンピュータである。前記クライアント端末２は、調剤が行われる調剤室に設けられ、調剤薬剤師によって用いられる操作端末である。前記クライアント端末２は、患者が入院する病棟に設けられ、病棟薬剤師によって用いられる操作端末である。なお、前記クライアント端末２は、スマートフォン又はタブレット端末などのモバイル端末であり、薬剤師などのユーザーによって前記調剤室又は前記病棟などの間で持ち運ばれるものであってもよい。
【００４７】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００４８】
前記記憶部２２は、前記制御部２１によって実行される各種のアプリケーションプログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網５を介して前記サーバー１にアクセスすることにより前記表示装置２４に各種の操作画面などを表示させると共に、前記操作装置２５を用いた前記操作画面に対する入力操作を前記サーバー１に伝達するためのアプリケーションソフトウェアである。具体的に、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００４９】
前記通信Ｉ／Ｆ２３は、前記通信網５を介して前記サーバー１、前記調剤機器３、及び前記プリンター４などの外部機器との間で、予め定められた通信プロトコルに従って無線又は有線でデータ通信を実行するネットワークカード等を有する通信インターフェースである。
【００５０】
前記表示装置２４は、前記制御部２１からの制御指示に従って各種の情報を表示する液晶ディスプレイ又は有機ＥＬディスプレイなどの表示部である。前記操作装置２５は、前記クライアント端末２に各種の情報を入力するためにユーザーによって操作される操作部である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。
【００５１】
前記ドライブ装置２６は、前記ＯＳ又は前記ブラウザソフトなどが記録されたコンピュータ読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記記憶部２２の前記プログラム記憶部２２１に記憶され、前記クライアント端末２にインストールされる。これにより、前記制御部２１では、前記ＣＰＵが、前記プログラム記憶部２２１に記憶されている前記制御プログラムを前記ＲＡＭに展開しつつ実行することが可能となる。
【００５２】
そして、前記プレアボイド報告支援システム１０では、ユーザーによる前記クライアント端末２の操作に応じて、前記疑義照会及び前記プレアボイド報告などに関する各種情報の表示、記録、及び印刷などが実行可能である。具体的に、本実施形態では、前記サーバー１と前記クライアント端末２とによりサーバクライアントシステムが構成されており、前記サーバー１が前記クライアント端末２のユーザー操作に応じて前記疑義照会及び前記プレアボイド報告などに関する各種情報の表示、記録、及び印刷などを実行する場合について説明する。そのため、以下に説明する「表示」、「操作」、「選択」、及び「入力」などは、前記クライアント端末２の前記表示装置２４及び前記操作装置２５を用いて行われる。
【００５３】
一方、前記サーバー１が、前記表示装置１４及び前記操作装置１５を用いて前記疑義照会及び前記プレアボイド報告などに関する各種の表示及び印刷を実行することも可能であり、前記サーバー１単体を本発明に係るプレアボイド報告支援システムとして捉えてもよい。さらに、前記クライアント端末２を本発明に係るプレアボイド報告支援システムとして捉えてもよい。即ち、前記クライアント端末２に、前記制御プログラムの一部又は全部がインストールされており、前記クライアント端末２の前記制御部２１が、前記サーバー１から必要な情報を適宜取得して、前記疑義照会及び前記プレアボイド報告などに関する各種の表示及び印刷を実行することも考えられる。
【００５４】
［処方チェック処理］
次に、図５を参照しつつ、前記サーバー１の前記制御部１１によって実行される処方チェック処理について説明する。前記処方チェック処理は、例えば前記サーバー１が前記上位システム６から前記処方データを取得した際、前記処方データについて調剤が開始される際、又はユーザーによる処方チェック要求時などに前記制御部１１によって実行される。なお、前記処方チェック処理は、前記制御部１１の前記取得処理部１１１によって実行される。
【００５５】
＜ステップＳ１１＞
まず、ステップＳ１１において、前記制御部１１は、前記情報記憶部１２３に記憶された前記処方チェック情報Ｄ１１に基づいて前記処方データの適否を判定する処方チェックを実行する。なお、前記処方チェックについては従来周知の各種手法を用いればよいため、ここでは詳細な説明を省略する。また、前記処方チェックは処方鑑査と称されることもある。
【００５６】
＜ステップＳ１２＞
そして、前記制御部１１は、前記ステップＳ１１で取得された前記処方チェックのチェック結果が適正であると判断した場合（Ｓ１２：Ｙｅｓ側）、処理をステップＳ１３に移行させる。また、前記制御部１１は、前記処方チェックのチェック結果にエラーが存在する場合（Ｓ１２：Ｎｏ側）、処理をステップＳ１２１に移行させる。
【００５７】
＜ステップＳ１３＞
ステップＳ１３において、前記制御部１１は、前記ステップＳ１１における処方チェックのチェック結果を前記記憶部１２に記録する。これにより、前記制御部１１は、後述の疑義照会記録処理において、前記記憶部１２に記憶されている前記チェック結果を参照することが可能である。
【００５８】
＜ステップＳ１４＞
その後、ステップＳ１４において、前記制御部１１は、前記処方データに基づく薬品の調剤を開始するための調剤制御処理を実行する。例えば、前記制御部１１は、前記処方データに基づいて前記調剤機器３各々に対応する調剤用データを生成し、前記記憶部１２の記憶領域に確保された共有データフォルダに記憶する。これにより、前記調剤機器３各々は、前記共有データフォルダから前記調剤用データを取得し、前記調剤用データに基づいて薬品の調剤を実行する。なお、前記制御部１１が、前記調剤機器３各々に前記調剤用データを送信することも考えられる。また、前記制御部１１は、薬剤師が前記処方データに基づいて薬品をピッキングするために必要なピッキング情報を前記プリンター４で印刷し、又は前記ピッキング情報をピッキング補助装置に送信することも考えられる。
【００５９】
＜ステップＳ１２１＞
一方、前記処方チェックのチェック結果が適正でない場合（Ｓ１２：Ｎｏ側）、続くステップＳ１２１において、前記制御部１１は、予め定められたエラー報知処理を実行する。例えば、前記エラー報知処理では、前記処方データにエラーが存在する旨の警告が前記クライアント端末２の前記表示装置２４などに表示され、又は前記処方データにエラーが存在する旨が前記上位システム６に報知される。
【００６０】
＜ステップＳ１２２＞
続いて、ステップＳ１２２において、前記制御部１１は、前記ステップＳ１１における処方チェックのチェック結果を前記チェック結果として前記記憶部１２に記録する。
【００６１】
ここに、図６は、前記エラー報知処理によって表示されるエラー画面Ｐ２の一例を示す図である。図６に示すように、前記エラー画面Ｐ２では、前記確認項目のうち前記チェック結果においてエラーとなっているエラー項目の内容が表示されるエラー表示領域Ａ２１、及び医師により入力されるコメントが表示されるコメント表示領域Ａ２２などが表示される。また、前記エラー画面Ｐ２では、前記第１確認項目について既に薬剤師によって確認が行われている際に薬剤師によって入力されるコメントが表示されるコメント表示領域Ａ２３も表示される。
【００６２】
また、前記エラー表示領域Ａ２１には、前記エラー項目の内容を確認及び承認した旨を入力するための確認キーＫ２１と、前記エラー項目について医師に対して疑義照会を行った結果を入力する予定であることを記録するための疑義予定キーＫ２２と、前記エラー項目について医師に対して疑義照会を行った結果を入力するための疑義照会キーＫ２３とが表示されている。
【００６３】
そして、前記制御部１１は、前記確認キーＫ２１が操作されると、前記エラー項目について確認が行われた旨、その確認を行った薬剤師の識別情報（氏名又はＩＤ等）、及びその確認が行われた日時などの確認履歴情報を前記チェック結果に対応付けて前記情報記憶部１２３に記録する。前記確認キーＫ２１が操作された場合には、前記処方データについて発生しているエラーが問題ないと判断されたことになるため、前記制御部１１は、前記処方データについて前記ステップＳ１４と同様に前記調剤制御処理を実行する。
【００６４】
また、前記制御部１１は、前記疑義予定キーＫ２２が操作されると、前記エラー項目について医師に対して疑義照会を行った結果を入力する予定である旨を示す疑義予定情報を前記チェック結果に対応付けて前記情報記憶部１２３に記録する。即ち、この時点では、疑義照会は行われているが、前記疑義照会の結果が入力されていない状態である。なお、前記疑義予定キーＫ２２が操作された場合には、前記処方データについて発生しているエラーに問題があるおそれがあるため、前記制御部１１は、前記処方データについての前記調剤制御処理を実行しない。
【００６５】
また、前記制御部１１は、前記疑義照会キーＫ２３が操作されると、後述の疑義照会記録処理（図７参照）を実行する。前記疑義照会キーＫ２３が操作された場合にも、前記処方データについて発生しているエラーに問題があるおそれがあるため、前記制御部１１は、前記処方データについての前記調剤制御処理を実行しない。なお、前記疑義照会を行った薬剤師などにより前記疑義予定キーＫ２２又は前記疑義照会キーＫ２３が操作された場合には前記処方データについての前記調剤制御処理が待機することになるが、前記処方データに問題がないと判断された場合、例えば前記エラー画面Ｐ２において前記確認キーＫ２１が操作された場合、前記制御部１１は、前記前記処方データについて前記ステップＳ１４と同様に前記調剤制御処理を実行する。
【００６６】
［疑義照会記録処理］
次に、図７を参照しつつ、前記エラー画面Ｐ２において前記疑義照会キーＫ２３が操作された場合に前記サーバー１の前記制御部１１によって実行される疑義照会記録処理について説明する。ところで、本発明は、前記疑義照会記録処理を実行することにより薬剤師のプレアボイド報告を支援するためのプレアボイド報告支援方法の発明として捉えてもよい。
【００６７】
＜ステップＳ２１＞
まず、前記制御部１１は、前記エラー項目について医師に対して適否を確認する疑義照会を行った結果を入力するための疑義照会入力画面Ｐ１を予め定められた前記クライアント端末２などに表示させる。なお、係る処理は前記制御部１１の前記第１表示処理部１１２によって実行される。
【００６８】
ここに、図８は、前記疑義照会入力画面Ｐ１の一例を示す図である。図８に示すように、前記疑義照会入力画面Ｐ１には、患者のＩＤ、氏名、性別、生年月日などの基本情報が表示される基本表示領域Ａ１１と、前記疑義照会の履歴が表示される履歴表示領域Ａ１２と、前記疑義照会に関する情報を入力するための情報入力領域Ａ１３とが表示される。また、前記制御部１１は、前記情報入力領域Ａ１３に表示される一又は複数の入力項目を、前記処方データに含まれる情報、前記処方チェックの結果、又は前記上位システム６から受信する各種の情報などに基づいて自動的に入力した状態で、前記疑義照会入力画面Ｐ１を表示させる。これにより、薬剤師による前記疑義照会入力画面Ｐ１における入力操作の手間が軽減される。
【００６９】
特に、前記情報入力領域Ａ１３には、情報提供後変更事由の入力欄Ｒ１１、Ｒ１２、疑義分類の入力欄Ｒ１３、参考文献の入力欄Ｒ１４、及び前記疑義照会に至る因子となる薬品に関する情報が入力される入力欄Ｒ１５などが表示される。
【００７０】
そして、前記制御部１１は、前記クライアント端末２などを用いた操作入力に応じて前記入力欄Ｒ１１に数字を入力すると共に、前記数字に対応する前記疑義照会の結果を前記疑義照会情報Ｄ２１に基づいて前記入力欄Ｒ１２に表示する。例えば、図８に示す例では、前記入力欄Ｒ１１に「２」が入力されており、前記入力欄Ｒ１２には、「２」に対応する「薬剤中止」が表示されている。また、前記制御部１１は、前記疑義照会後に前記上位システム６から受信される変更後の前記処方データなどに基づいて前記疑義照会の結果を判断し、その結果に対応する数字を前記入力欄Ｒ１１に自動的に入力することも可能である。なお、前記入力欄Ｒ１１が第１特定入力欄の一例である。
【００７１】
前記入力欄Ｒ１３は、前記疑義照会の分類を選択するための入力欄であって、前記制御部１１は、前記入力欄Ｒ１３に表示される前記疑義照会の分類を、疑義分類キーＫ１３の操作に応じて追加又は削除する。図８に示す例では、前記疑義照会の分類として「併用禁忌」が選択された状態が示されている。なお、前記入力欄Ｒ１３が第２特定入力欄の一例である。
【００７２】
また、前記入力欄Ｒ１４には、薬剤師が前記疑義照会を行う際に参照した参考文献を選択するための入力欄であって、前記制御部１１は、前記入力欄Ｒ１４に表示される前記参考文献の分類を、参考文献キーＫ１４の操作に応じて追加又は削除する。図８に示す例では、前記参考文献として「添付文書」が選択された状態が示されている。
【００７３】
さらに、前記入力欄Ｒ１５は、今回の疑義照会の原因となっている薬品が入力される入力欄であって、前記制御部１１は、前記処方チェックの結果に応じて、エラーの対象となっている薬品を自動的に前記入力欄Ｒ１５に入力する。また、前記制御部１１は、前記入力欄Ｒ１５に表示される前記薬品の種類を、因子キーＫ１５の操作に応じて追加又は削除することも可能である。例えば、前記制御部１１は、前記因子キーＫ１５の操作に応じて、前記処方データに含まれる処方薬、及び患者が服用中の薬品などの一覧を表示させ、ユーザー操作に応じて前記薬品のいずれか一つ又は複数を選択する。図８に示す例では、前記疑義照会に至る因子として「イトリゾールカプセル」と「ハルシオン０．２５ｍｇ」との二つの薬品が選択された状態が示されている。
【００７４】
＜ステップＳ２２＞
次に、図７に戻り、ステップＳ２２において、前記制御部１１は、前記疑義照会の情報の入力を完了する操作を待ち受ける（Ｓ２２：Ｎｏ側）。具体的に、前記制御部１１は、前記疑義照会入力画面Ｐ１において、前記疑義照会の情報の入力を完了するための操作を受け付ける登録キーＫ１６が操作された場合に、前記疑義照会の情報の入力を完了する操作が行われたと判断する。そして、前記制御部１１は、前記疑義照会の情報の入力を完了する操作が行われた場合（Ｓ２２：Ｙｅｓ側）、処理をステップＳ２３に移行させる。
【００７５】
＜ステップＳ２３＞
ステップＳ２３において、前記制御部１１は、前記疑義照会入力画面Ｐ１に表示されている入力内容を前記疑義照会の履歴として前記記憶部１２に記録する。これにより、前記プレアボイド報告支援システム１０では、前記制御部１１が、例えば前記クライアント端末２各々からの参照要求に応じて前記疑義照会の履歴を前記クライアント端末２各々に表示させることが可能である。
【００７６】
＜ステップＳ２４＞
ステップＳ２４において、前記制御部１１は、前記疑義照会入力画面Ｐ１における入力情報に基づいてプレアボイド報告の要否を判定する。なお、係る処理は前記制御部１１の前記判定処理部１１３によって実行される。具体的に、前記制御部１１は、前記疑義照会入力画面Ｐ１に表示されている前記第１特定入力欄の一例である前記入力欄Ｒ１１に入力され、前記入力欄Ｒ１２に表示されている前記疑義照会の結果が前記プレアボイド報告の必要な内容であるか否かを前記要否判定情報Ｄ２１に基づいて判定する。例えば、前記疑義照会の結果が「変更無し」である場合には、前記プレアボイド報告が「不要」であると判定し、前記疑義照会の結果が前記処方データの変更又は中止に相当する「薬剤中止」及び「薬剤変更」等である場合には、前記プレアボイド報告が「必要」であると判定する。
【００７７】
ここで、前記制御部１１は、前記プレアボイド報告の必要があると判断した場合（Ｓ２４：Ｙｅｓ側）、処理をステップＳ２５に移行させ、前記プレアボイド報告の必要がないと判断した場合は（Ｓ２４：Ｎｏ側）、当該疑義照会記録処理を終了させる。
【００７８】
＜ステップＳ２５＞
ステップＳ２５において、前記制御部１１は、前記疑義照会入力画面Ｐ１における入力情報に基づいて、前記プレアボイド報告の種別が未然回避報告であるか否かを判断する。具体的に、前記制御部１１は、前記疑義照会入力画面Ｐ１に表示されている前記入力欄Ｒ１３に入力されている前記第２特定入力欄の一例である前記入力欄Ｒ１３に入力されている前記疑義照会の分類が前記未然回避報告に対応する内容であるか否かを前記分類判定情報Ｄ２２に基づいて判定する。例えば、前記制御部１１は、前記疑義照会の分類が前記分類判定情報Ｄ２２に含まれる場合に、前記プレアボイド報告の種別が前記未然回避報告であると判断する。そして、前記プレアボイド報告の種別が前記未然回避報告であると判断された場合（Ｓ２５：Ｙｅｓ側）、処理はステップＳ２６に移行され、前記プレアボイド報告の種別が前記未然回避報告でないと判断された場合は（Ｓ２５：Ｎｏ側）、処理がステップＳ２５１に移行される。
【００７９】
＜ステップＳ２６＞
ステップＳ２６において、前記制御部１１は、前記プレアボイド報告の種別が前記未然回避報告である場合に対応付けて予め定められた各種の情報を入力するためのプレアボイド入力画面Ｐ３を前記クライアント端末２に表示させる。なお、係る処理は、前記制御部１１の前記第２表示処理部１１４によって実行される。また、前記制御部１１は、前記疑義照会入力画面Ｐ１に表示されている未然回避キーＫ１７が操作された場合に前記プレアボイド入力画面Ｐ３を表示させることも可能である。
【００８０】
ここに、図９は、前記プレアボイド入力画面Ｐ３の一例を示す図であって、一つ目のタブに対応する表示例を示す図である。また、図１０は、前記プレアボイド入力画面Ｐ３の二つ目のタブに対応するプレアボイド入力画面Ｐ４の表示例を示す図である。
【００８１】
図９に示すように、前記プレアボイド入力画面Ｐ３には、患者の基本情報が表示される表示領域Ａ３１、前記患者の伸長、体重、腎機能障害の有無、肝機能障害の有無、副作用歴、アレルギー歴、及び治療中の疾患名などの情報が表示される表示領域Ａ３２、及び前記疑義照会の内容が表示される表示領域Ａ３３などが表示される。具体的に、前記制御部１１は、前記表示領域Ａ３３において、前記疑義照会入力画面Ｐ１の前記入力欄Ｒ１３で選択されていた前記疑義照会の分類をチェックマーク等によって判別可能に表示させる。これにより、薬剤師による前記プレアボイド入力画面Ｐ３における入力操作の手間が軽減される。なお、前記制御部１１は、ユーザー操作に応じて前記表示領域Ａ３１〜Ａ３３の内容を任意に編集可能である。
【００８２】
また、前記プレアボイド入力画面Ｐ４には、前記疑義照会が行われる前の処方データの内容（薬品名、投与量、用法など）が表示される表示領域Ａ４１と、前記疑義照会が行われた後の処方データの内容（薬品名、投与量、用法など）が表示される表示領域Ａ４２とが表示される。具体的に、前記制御部１１は、前記疑義照会が行われる前後に前記上位システム６から取得された前記処方データの内容を前記表示領域Ａ４１、Ａ４２各々に自動的に表示させる。これにより、薬剤師による前記プレアボイド入力画面Ｐ４における入力操作の手間が軽減される。なお、前記制御部１１は、ユーザー操作に応じて前記表示領域Ａ４１及びＡ４２の内容を任意に編集可能である。
【００８３】
さらに、前記プレアボイド入力画面Ｐ４には、前記疑義照会入力画面Ｐ１における前記入力欄Ｒ１１、Ｒ１２に入力されていた前記疑義照会の結果が表示される表示領域Ａ４３と、前記疑義照会を行った薬剤師が任意に入力可能なコメントが表示される表示領域Ａ４４とが表示される。前記制御部１１は、前記疑義照会入力画面Ｐ１における入力情報を前記表示領域Ａ４１、Ａ４２各々に自動的に反映させる。これにより、薬剤師による前記プレアボイド入力画面Ｐ４における入力操作の手間が軽減される。なお、前記制御部１１は、ユーザー操作に応じて前記表示領域Ａ４３及びＡ４４の内容を任意に編集可能である。
【００８４】
＜ステップＳ２５１＞
ステップＳ２５１において、前記制御部１１は、前記プレアボイド報告の種別が重篤化回避報告である場合に対応付けて予め定められた各種の情報を入力するためのプレアボイド入力画面（不図示）を前記クライアント端末２に表示させる。なお、係る処理は前記制御部１１の前記第２表示処理部１１４によって実行される。また、前記制御部１１は、前記疑義照会入力画面Ｐ１に表示されている重篤化キーＫ１８が操作された場合に前記重篤化回避報告に対応する前記プレアボイド入力画面（不図示）を表示させることも可能である。
【００８５】
＜ステップＳ２７＞
そして、ステップＳ２７において、前記制御部１１は、前記プレアボイド報告の情報の入力を完了する操作を待ち受ける（Ｓ２７：Ｎｏ側）。具体的に、前記制御部１１は、前記プレアボイド入力画面Ｐ３、Ｐ４において、前記プレアボイド報告の情報の入力を完了するための操作を受け付ける登録キーＫ３１又はＫ４１が操作された場合に、前記プレアボイド報告の情報の入力を完了する操作が行われたと判断する。なお、前記重篤化回避報告に対応する前記プレアボイド入力画面（不図示）についても同様である。そして、前記制御部１１は、前記プレアボイド報告の情報の入力を完了する操作が行われた場合（Ｓ２７：Ｙｅｓ側）、処理をステップＳ２８に移行させる。
【００８６】
＜ステップＳ２８＞
ステップＳ２８において、前記制御部１１は、前記プレアボイド入力画面Ｐ３、Ｐ４各々に表示されている入力内容を前記プレアボイド報告の履歴として前記記憶部１２に記録する。これにより、前記プレアボイド報告支援システム１０では、前記制御部１１が、例えば前記クライアント端末２各々からの参照要求に応じて前記プレアボイド報告の履歴を前記クライアント端末２各々に表示させることが可能である。
【００８７】
＜ステップＳ２９＞
そして、前記ステップＳ２９において、前記制御部１１は、前記ステップＳ２８で記録された前記プレアボイド報告を出力する出力処理を実行する。なお、係る処理は前記制御部１１の前記情報処理部１１５によって実行される。具体的に、前記制御部１１は、前記ステップＳ２９において、前記プレアボイド報告を予め定められたｃｓｖ形式などのファイル形式でファイル出力することが考えられる。その後、前記ファイル出力された前記プレアボイド報告のファイルは、例えば、薬剤師などにより、前記クライアント端末２などにおいて、日本病院薬剤師会から提供されるアプリケーションソフトウェアを用いて前記日本病院薬剤師会に送信される。
【００８８】
また、前記制御部１１は、前記ステップＳ２８で記録された前記プレアボイド報告を予め定められた送信先に送信する送信処理を実行することも考えられる。例えば、前記プレアボイド報告は、前記通信Ｉ／Ｆ１３により前記通信網５を介するメール送信等によって、日本病院薬剤師会及び医療機関のＤＩ（Ｄｒｕｇ  Ｉｎｆｏｒｍａｔｉｏｎ）室などに対応する予め設定されたメールアドレスに送信される。これにより、前記プレアボイド報告が前記日本病院薬剤師会又は前記ＤＩ室などにおいて、今後の薬学療法のために有効に活用される。なお、前記制御部１１は、前記プレアボイド報告を前記プリンター４で印刷出力することも可能である。
【００８９】
以上説明したように、前記プレアボイド報告支援システム１０では、薬剤師が行う疑義照会の結果を入力する際に、自動的にプレアボイド報告の要否が判断され、必要に応じて前記プレアボイド報告を行うための前記プレアボイド入力画面Ｐ３等が表示される。従って、前記プレアボイド報告支援システム１０によれば、薬剤師による漏れのない前記プレアボイド報告の実施を支援することができる。
【００９０】
また、前記プレアボイド報告支援システム１０では、前記疑義照会入力画面Ｐ１における入力内容が、前記処方データ等に基づいて自動的に入力されるため、薬剤師による前記疑義照会の結果の記録作業の手間が軽減される。さらに、前記プレアボイド報告支援システム１０では、前記プレアボイド入力画面Ｐ３、Ｐ４における入力内容が、前記疑義照会の結果及び前記処方データ等に基づいて自動的に入力されるため、薬剤師による前記プレアボイド報告の手間が軽減される。
【００９１】
［被疑薬特定機能］
ところで、前記病棟業務支援システム１０は、患者に生じている副作用及び検査値などに基づいて副作用の原因となっている薬品を特定する被疑薬特定機能を有する。具体的に、前記制御部１１は、入力される副作用症状及び検査値などに基づいて被疑薬を特定する被疑薬特定処理を実行し、前記被疑薬特定処理で特定された被疑薬の処方について行われる疑義照会の結果の入力を受け付ける。このときも、前記疑義照会の結果の入力は、前記疑義照会入力画面Ｐ１に対して行われる。
【００９２】
ここで、前記疑義照会入力画面Ｐ１に前記疑義照会の結果が入力されると、前記制御部１１は、前記疑義照会の結果に応じて前記プレアボイド報告の要否を判定する。具体的に、前記制御部１１は、前記疑義照会の結果として前記患者が服用する薬品に変更又は中止などがあった場合に、前記プレアボイド報告が必要であると判定する。
【００９３】
また、前記制御部１１は、前記処方チェックのチェック結果に基づいて前記疑義照会が行われた場合には、前記プレアボイド報告の種別として未然回避報告を選択するが、前記被疑薬特定処理の結果に基づいて前記疑義照会が行われた場合には、前記プレアボイド報告の種別として重篤化回避報告を選択することが考えられる。例えば、前記処方チェックのチェック結果が表示される前記エラー画面などから遷移して疑義照会の結果が入力される場合には、前記未然回避報告が選択され、前記被疑薬特定処理の結果が表示される画面から遷移して疑義照会の結果が入力される場合には、前記重篤化回避報告が選択されることが考えられる。
【符号の説明】
【００９４】
１  ：サーバー
１１：制御部
１２：記憶部
１３：通信Ｉ／Ｆ
１４：操作装置
１５：表示装置
１６：ドライブ装置
２  ：クライアント端末
２１：制御部
２２：記憶部
２３：通信Ｉ／Ｆ
２４：操作装置
２５：表示装置
２６：ドライブ装置
３  ：調剤機器
４  ：プリンター
１０：プレアボイド報告支援システム
【図１】
0006398459.tif 000002
【図２】
0006398459.tif 000003
【図３】
0006398459.tif 000004
【図４】
0006398459.tif 000005
【図５】
0006398459.tif 000006
【図６】
0006398459.tif 000007
【図７】
0006398459.tif 000008
【図８】
0006398459.tif 000009
【図９】
0006398459.tif 000010
【図１０】
0006398459.tif 000011